(57)【要約】      （修正有）【課題】使用者の安全を第一とし、運搬が容易で、設置が極狭く場所に左右されず、設置が極容易である、なお厳寒の地域でも使用可能で捕獲率かきわめて高いくくり罠を提供する。【解決手段】ワイヤー状のくくり部部材１４に異物の付着しないくくり罠において、くくり部部材が下部を罠本体外枠１３の上部と、本体外周保護材とくくり部を保持する罠本体中枠、及び罠上部を覆う部材１によりワイヤー状くくり部材を隔離保護し、気温の低い厳寒の季節でも土その他の異物付着を避け、ワイヤー状くくり部部材の滑りを円滑にする。【選択図】図５
2010162011.tif 000002
【特許請求の範囲】
【請求項１】
ワイヤー状のくくり部部材に異物の付着しない、くくり罠において、前記くくり部部材が下部を罠本体外枠の上部と前記本体外周保護材とくくり部を保持する罠本体中枠及び罠上部を覆う部材によりワイヤー状くくり部材を隔離保護し気温の低い厳寒の季節でも土その他の異物付着を避けワイヤー状くくり部部材の滑りを円滑にすることを特徴とするくくり罠。
【請求項２】
ワイヤー状のくくり部部材がスプリング状の撥ね上げ部材稼働時に急激な上昇によりおこる、ワイヤー状のくくり部部材の先端の垂れ下がりを防ぐため、くくり部先端撥ね上げ部材を罠本体中枠の上部前半分を利用し装着する、先端撥ね上げ部材の両端を回働自在にし、罠本体中枠上部中ほどの両側に止め、先端撥ね上げ部材の中ほどにワイヤー状くくり部材の先端引かかりを作りくくり部部材がスプリング状撥ね上げ部材の稼働により上昇すると同時に先端撥ね上げ部材も同部材の両端を起点とし半円状にくくり部部材の先端を上昇させる事を特徴とする請求項１に記載のくくり罠。
【請求項３】
ワイヤー状くくり部部材の撥ね上がり速度を補う機構を備えたくくり罠、獣の体重移動により本体中枠の踏み板に十分な加重が掛かった時踏み板の下部に設置された装置により一気に踏み板が落下し、踏み板と同時に落下する獣足を確実にくくる事を特徴とする請求項１ないし２いずれか１項に記載のくくり罠。
【請求項４】
前記くくり罠はくくり部及び締め付け部をより高位置に押し上げる為、締め付け部材に案内部材を設けた、前記案内部材にワイヤー状のくくり部材を通しスプリング状の撥ね上げ部材の中に納め前記撥ね上げ装置稼働時にくくり部材及び締め付け部材をより高位置に押し上げると共にワイヤー状のくくり部先端撥ね上げ装置を引き起こし、より高位で獣足をくくり捕獲率を飛躍的に高める特長を備えたくくり罠。
【発明の詳細な説明】
【技術分野】
【０００１】  本発明は罠体を径の異なる筒状の部材２個で作成し本体中枠の外側上部に装着されたワイヤー状のくくり部材が固定された本体外枠の中を下がる事によりくくり部が本体外枠の上部により中枠から外れ中枠を踏み落とした獣足をくくり部材でくくる装置である、くくり部部材を上部覆い部材で保護しくくり部部材の先端跳ね上部材を設け、くくり部撥ね上がり時に起こるくくり部部材先端の垂れ下がりを少なくし、くくり部を、撥ね上げ案内部材により高所に導き、獣の体重移動を利用し獣足を一気に落下させ捕獲の確実性を飛躍的に向上させたくくり罠。
【背景技術】
【０００２】  くくり罠は主として大型獣の捕獲に使用されるものが多く使用されるスプリングも強力なものが使われ取り扱いを誤り大怪我をするケースが多い、又仕掛けが大掛かりのものが多く持ち運びに不便である、又設置の時に獣道の破壊も大きく設置に経験と技術がいる。【０００３】  このようなくくり罠は設置場所の制限も多く受ける、設置面積が多い為獣に気ずかれるケースが多い。【０００４】  本くくり罠は安全性を最も重視しくくり部、締め付け部のスプリング状の撥ね上げ部材は限界まで弱いものにした、その上で発明各部材の稼動及び働きにより獣足のくくりを確実にし、大幅に捕獲率を上げる事ができた。
【特許文献】特開平５−６４５３６号公報
【発明の概要】
【発明が解決しようとする課題】
【０００５】  請求項１に係る発明は罠上部全体を部材１で覆い、（図４参照）罠本体外枠上部に付随する保護材１２と罠本体中枠によりくくり部材を挟み上から覆い部材で覆う事でほぼ完全にくくり部は外部から隔離される、したがって寒冷時でもワイヤー状のくくり部材に土その他の異物が付着する事は無い、撥ね上がり時には踏み板の上の土の重さによりくくり部部材の上を覆う部材は踏み板と共に外枠の中に移動しくくり部の撥ね上がりには影響を与えない事を特徴としている。【０００６】  請求項２に係る発明は罠本体中枠の踏み板を獣が踏み落とす事により、ワイヤー状のくくり部部材が撥ね上げ部材（図１の１７  スプリング状部材）により急激に上昇を始める、その時にくくり部先端が上昇方向に（以後後方とゆう）引かれる為ワイヤー状のくくり部１４は輪にならず撥ね上げ部材と平行に後方に引かれ獣の足が少しでも踏み板から浮いて居ればくくらない、其の現象を極く少なくし、くくりの確実性を持たせる為にくくり部部材の先端をくくり部部材が上昇すると共に上に移動させることを特徴としている。【０００７】  請求項３に係る発明は罠を獣が踏み其の時踏み板が即下降を起せば獣が機敏に反応し足を挙げ罠のくくり速度が追いつかず獣足をくくらない（以後空跳ねと言う）特に安全を重視する本くくり罠はくくり部撥ね上げ部材を最低限としている為くくり部撥ね上げ速度は遅い、それを補う為に獣が踏み板を踏んでも、即下降せず獣が移動の為踏み足に十分な加重が掛かった時踏み板に設置された踏み込み部材が挟み部材１と２の間を押し開き一気に踏み板と獣の踏み足が落下する、其の時にくくり部が撥ね上がりを起しくくり部先端部の撥ね上げ部材の動きと締め付け部案内部材の総合した稼動で獣足のくくりをほぼ完璧なものにしたことを特徴としている。【０００８】  請求項４に係る発明は罠の踏み板が下降すると同時にくくり部と共に締め付け部が上昇するがこの時前記くくり部及び締め付け部両部材の重さ及びワイヤー状くくり部部材先端がくくり部先端撥ね上げ装置の引っ掛かりに引かれ高所に達する事無くくくってしまう、獣の素早く上げようとする足を、くくり部先端撥ね上げ部材と撥ね上げ部材案内部材が合い総合し、より高位置で獣足をくくることを特徴としている。
【課題を解決するための手段】
【０００９】  本発明は罠を覆う部材１による効果は大きい、特にくくり部部材を保護すると共に掘削箇所から発散する、草木の根切断、または新しい土の匂いを少なくし警戒心と共に臭いにも敏感に反応する獣捕獲に効果も大きい。【００１０】  本体外枠に取り付けられた板状の締め付け部材の９を調節し締め付け部材６〜７の挟み力を加減する事によってある態度、捕獲獣を種別することができる。
【発明の効果】
【００１１】  上述したように本発明は罠使用者の安全性を第一にはかり、小型化と軽量化につとめ獣道を多く破壊する事無く設置範囲が極く狭い為設置場所に左右される事が究めて少ない、罠本体上部を部材で覆いワイヤー状のくくり部材を隔離保護する事で寒冷地においても使用可能にし、ワイヤー状くくり部部材先端の撥ね上げ装置及び踏み板の落とし込み装置、なお跳ね上げ案内等それら各部材が総合し作動する事で獣捕獲の効率を飛躍的に高めたことを特徴とする。
【図面の簡単な説明】
【００１２】
【図１】全体の分解図  図中Ａは撥ね上げ装置くくり部組み上がり。
【図２】罠本体外枠に付随する部材の組み上がりと布設。
【図３】罠本体中枠踏み板の上に１覆い部材を置き土を入れ、その他撥ね上げ、くくり部部材落とし込み部材等の部材を取り付け、付設された外枠の内部に入れる。
【図４】本体中枠を沈め外枠に合わせて、本体外枠の保護材外部に沿って覆い部材を切るり上をカムフラージュして終了。
【発明を実施するための形態】
【００１３】  以下、本発明の最良の実施の形態を図面１〜４に基づき詳述する。
【００１４】  図１は罠全体の分解、部品名を示しＡ部は撥ね上げくくり部組み上がりを示す。
【００１５】  図２  次に各部材６〜１１の部材を取り付けた１３本体外枠を獣道に附設する、この時外枠が獣が残した足跡に合わせて掘削する、なお撥ね上げ部材収納部も本体に対し４５度ほどに収まる用掘削をする、掘削箇所に罠本体外枠を沈め柔道よりほんの僅か下げてしっかりと固定する。
【００１６】  図３は２〜５までの部材を３本体中枠に収める  図１を参照  覆い部材は３の本体中枠の踏み板の上に、ほぼ真ん中を置き中に土を入れて固め中枠踏み板より本体中枠上部いっぱいにつめる、この時中枠の周囲に設置終了時に上部罠周囲とくくり部を覆う分を残す  １４くくり部材はこの時点で３の本体中枠周囲に装着する、１７のスプリング状撥ね上げ部材には１６案内部材に１５締め付け部材とワイヤー状のくくり部材を通しスプリング状の跳ね上げ部材の中に入れて収納部材に収める（図１を参照）１９の締め付け固定部材をずれないように固定し設置された本体外枠に載せる。
【００１７】  図４  獣道に固定した本体外枠に本体中枠を合わせ沈める、くくり部が本体中枠の上端部まで達するまでそのまま中枠を静かに下げ、本体外枠保護材の高さに合わせる、同時に跳ね上げ収納部も慎重に５本体外枠に添えて設置する、設置されたら本体周囲及び撥ね上げ収納部周りを埋め戻し整理し周囲を僅か平らにし５本体周囲保護材の外部に沿って１の罠上部覆い部材を切り取り、辺りをカムフラージュして設置完了となる。
【００１８】  図５は罠の各部材の設置時と稼働時をすで示したもの、実線は稼働前、点線は稼働時を示す。
【符号の説明】
【０００９】  １          上部覆い材
２          くくり部  先端跳ね上げ部材
３          本体中枠
４          踏み板
５          踏み込み部材
６          挟み部材１
７          挟み部材２
８          圧力調整部材１
９          圧力調整部材２
１０        圧力調整部材３
１１        圧力調整部材４
１２        本体外枠上部保護材
１３        本体外枠
１４        くくり部部材
１５        くくり部締め付け部材
１６        締め付け部案内部材
１７        撥ね上げ部材
１８        撥ね上げ部材収納部材
１９        くくり部部材固定部材
【図１】
2010162011.tif 000003
【図２】
2010162011.tif 000004
【図３】
2010162011.tif 000005
【図４】
2010162011.tif 000006
【図５】
2010162011.tif 000007
【手続補正書】
【提出日】平成21年3月9日(2009.3.9)
【手続補正１】
【補正対象書類名】明細書
【補正対象項目名】００１２
【補正方法】変更
【補正の内容】
【００１２】
【図１】罠全体の各部材の符号毎の明細図  図中の点線で囲むＡ図は部材番号１４から１９までの部材で組みこんだ、撥ね上げ装置とくくり部組み上がりの図。
【図２】罠本体外枠１３に上部保護材１２及び部材番号６から１１までの部材を組み込み土中に設置する。
【図３】罠本体中枠３に部材２・４・５を取り付け上部に覆い部材を載せて中一杯に土を詰め中枠外周に撥ね上げ装置及びくくり部との組み上がりを取り付けて土中に設置された本体外枠の中に落とし込む。
【図４】撥ね上げ装置収納部材１８を土中に沈めながら、罠本体外枠と中枠の高さを揃えて罠本体外枠上部保護材の外周に添って覆い部材１を切り取り、罠上部全体を整理しカムフラージュする。
【図５】罠設置時と稼働時の各部材の働きを示す、設置時は実線で稼働時は点線にて示す、ワイヤー状のくくり部部材を上から覆っている覆い部材１は踏み板４を獣が踏み落とす事により中枠とともに罠の中に引き落とされて、くくり部材の上部から取り除かれる、前記作動と同時に本体中枠の周囲からくくり部材が外れ撥ね上げ装置が働き締め付け部材及び締め付け案内部材が作動し、くくり部先端撥ね上げ装置２が引き起こされる、本体外枠に取り付けられた部材１１を絞め込む事や、部材６の上部の角度を変える事又部材４の厚みを変える事で踏み落とし板に重さのコントロールを行い捕獲獣類の種別を行う。